【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
マルチレイヤＨｉｇｈ  Ｅｆｆｉｃｉｅｎｃｙ  Ｖｉｄｅｏ  Ｃｏｄｉｎｇ（ＨＥＶＣ）ビデオデータを復号する方法であって、
第１のアクセスユニットのための第１のアクセスユニットデリミタ（ＡＵＤ）ネットワーク抽象化レイヤ（ＮＡＬ）ユニットを受信することと、前記第１のＡＵＤ  ＮＡＬユニットのレイヤ識別子は０に等しい、
前記第１のアクセスユニットのための第２のＡＵＤ  ＮＡＬユニットを受信することと、前記第２のＡＵＤ  ＮＡＬユニットのレイヤ識別子は０より大きい、
前記第１のアクセスユニットを復号することと
を備える、方法。
【請求項２】
前記第１のアクセスユニット中の前記第２のＡＵＤ  ＮＡＬユニットが、復号順序において、前記第１のＡＵＤ  ＮＡＬユニットと、前記第１のアクセスユニット中の少なくとも１つのビデオコーディングレイヤ（ＶＣＬ）ＮＡＬユニットとに後続する、請求項１に記載の方法。
【請求項３】
前記第１のＡＵＤ  ＮＡＬユニットが、復号順序において、前記第１のアクセスユニット中で最初のＮＡＬユニットである、請求項１に記載の方法。
【請求項４】
前記第１のＡＵＤ  ＮＡＬユニットが、前記第１のアクセスユニットと先行するアクセスユニットとの境界を特定する、請求項１に記載の方法。
【請求項５】
前記第１のＡＵＤ  ＮＡＬユニット以外の、前記第１のアクセスユニット中の他のＡＵＤ  ＮＡＬユニットが、０に等しいレイヤ識別子を有しない、請求項１に記載の方法。
【請求項６】
ワイヤレス通信デバイス上で実行可能であり、前記デバイスが、
前記コーディングされたビデオデータを受信するように構成される受信機と、
前記コーディングされたビデオデータを記憶するように構成されるメモリと、
前記メモリに記憶されている前記コーディングされたビデオデータを処理するための命令を実行するように構成される１つまたは複数のプロセッサと、
前記ＩＮＢＬおよび前記非ＩＮＢＬに基づいて復号されたビデオを表示するように構成されるディスプレイと
を備える、請求項１に記載の方法。
【請求項７】
前記ワイヤレス通信デバイスが携帯電話であり、コーディングされたビデオデータが前記受信機によって受信されセルラー通信規格に従って変調される、請求項６に記載の方法。
【請求項８】
マルチレイヤＨｉｇｈ  Ｅｆｆｉｃｉｅｎｃｙ  Ｖｉｄｅｏ  Ｃｏｄｉｎｇ（ＨＥＶＣ）ビデオデータを復号するための装置であって、
第１のアクセスユニットのための第１のアクセスユニットデリミタ（ＡＵＤ）ネットワーク抽象化レイヤ（ＮＡＬ）ユニットを受信するための手段と、前記第１のＡＵＤ  ＮＡＬユニットのレイヤ識別子は０に等しい、
前記第１のアクセスユニットのための第２のＡＵＤ  ＮＡＬユニットを受信するための手段と、前記第２のＡＵＤ  ＮＡＬユニットのレイヤ識別子は０より大きい、
前記第１のアクセスユニットを復号するための手段と
を備える、装置。
【請求項９】
前記第１のアクセスユニット中の前記第２のＡＵＤ  ＮＡＬユニットが、復号順序において、前記第１のＡＵＤ  ＮＡＬユニットと、前記第１のアクセスユニット中の少なくとも１つのビデオコーディングレイヤ（ＶＣＬ）ＮＡＬユニットとに後続する、請求項８に記載の装置。
【請求項１０】
前記第１のＡＵＤ  ＮＡＬユニットが、復号順序において、前記第１のアクセスユニット中で最初のＮＡＬユニットである、請求項８に記載の装置。
【請求項１１】
前記第１のＡＵＤ  ＮＡＬユニットが、前記第１のアクセスユニットと先行するアクセスユニットとの境界を特定する、請求項８に記載の装置。
【請求項１２】
前記第１のＡＵＤ  ＮＡＬユニット以外の、前記第１のアクセスユニット中の他のＡＵＤ  ＮＡＬユニットが、０に等しいレイヤ識別子を有しない、請求項８に記載の装置。
【請求項１３】
マルチレイヤＨｉｇｈ  Ｅｆｆｉｃｉｅｎｃｙ  Ｖｉｄｅｏ  Ｃｏｄｉｎｇ（ＨＥＶＣ）ビデオデータを復号するための命令を記憶したコンピュータ可読媒体であって、前記命令は、１つまたは複数のプロセッサによって実行されると、前記１つまたは複数のプロセッサに、
第１のアクセスユニットのための第１のアクセスユニットデリミタ（ＡＵＤ）ネットワーク抽象化レイヤ（ＮＡＬ）ユニットを受信することと、前記第１のＡＵＤ  ＮＡＬユニットのレイヤ識別子は０に等しい、
前記第１のアクセスユニットのための第２のＡＵＤ  ＮＡＬユニットを受信することと、前記第２のＡＵＤ  ＮＡＬユニットのレイヤ識別子は０より大きい、
前記第１のアクセスユニットを復号することと
を行わせる、コンピュータ可読媒体。
【請求項１４】
前記第１のアクセスユニット中の前記第２のＡＵＤ  ＮＡＬユニットが、復号順序において、前記第１のＡＵＤ  ＮＡＬユニットと、前記第１のアクセスユニット中の少なくとも１つのビデオコーディングレイヤ（ＶＣＬ）ＮＡＬユニットとに後続する、請求項１３に記載のコンピュータ可読記憶媒体。
【請求項１５】
前記第１のＡＵＤ  ＮＡＬユニットが、復号順序において、前記第１のアクセスユニット中で最初のＮＡＬユニットであるか、または
前記第１のＡＵＤ  ＮＡＬユニットが、前記第１のアクセスユニットと先行するアクセスユニットとの境界を特定するか、または
前記第１のＡＵＤ  ＮＡＬユニット以外の、前記第１のアクセスユニット中の他のＡＵＤ  ＮＡＬユニットが、０に等しいレイヤ識別子を有しない、請求項１３に記載のコンピュータ可読記憶媒体。
【手続補正２】
【補正対象書類名】明細書
【補正対象項目名】０１３１
【補正方法】変更
【補正の内容】
【０１３１】
[0135]様々な例が説明されてきた。これらおよび他の例は以下の特許請求の範囲内に入る。
以下に本願の出願当初の特許請求の範囲に記載された発明を付記する。
［Ｃ１］
マルチレイヤビデオデータを復号する方法であって、
第１のアクセスユニットのための第１のアクセスユニットデリミタ（ＡＵＤ）ネットワーク抽象化レイヤ（ＮＡＬ）ユニットを受信することと、前記第１のＡＵＤ  ＮＡＬユニットのレイヤ識別子は０に等しい、
前記第１のアクセスユニットのための第２のＡＵＤ  ＮＡＬユニットを受信することと、前記第２のＡＵＤ  ＮＡＬユニットのレイヤ識別子は０より大きい、
前記第１のアクセスユニットを復号することと
を備える、方法。
［Ｃ２］
前記第１のアクセスユニット中の前記第２のＡＵＤ  ＮＡＬユニットが、復号順序において、前記第１のＡＵＤ  ＮＡＬユニットと、前記第１のアクセスユニット中の少なくとも１つのビデオコーディングレイヤ（ＶＣＬ）ＮＡＬユニットとに後続する、Ｃ１に記載の方法。
［Ｃ３］
前記第１のＡＵＤ  ＮＡＬユニットが、復号順序において、前記第１のアクセスユニット中で最初のＮＡＬユニットである、Ｃ１に記載の方法。
［Ｃ４］
前記第１のＡＵＤ  ＮＡＬユニットが、前記第１のアクセスユニットと先行するアクセスユニットとの境界を特定する、Ｃ１に記載の方法。
［Ｃ５］
前記第１のＡＵＤ  ＮＡＬユニット以外の、前記第１のアクセスユニット中の他のＡＵＤ  ＮＡＬユニットが、０に等しいレイヤ識別子を有しない、Ｃ１に記載の方法。
［Ｃ６］
ワイヤレス通信デバイス上で実行可能であり、前記デバイスが、
前記コーディングされたビデオデータを受信するように構成される受信機と、
前記コーディングされたビデオデータを記憶するように構成されるメモリと、
前記メモリに記憶されている前記コーディングされたビデオデータを処理するための命令を実行するように構成される１つまたは複数のプロセッサと、
前記ＩＮＢＬおよび前記非ＩＮＢＬに基づいて復号されたビデオを表示するように構成されるディスプレイと
を備える、Ｃ１に記載の方法。
［Ｃ７］
前記ワイヤレス通信デバイスが携帯電話であり、コーディングされたビデオデータが前記受信機によって受信されセルラー通信規格に従って変調される、Ｃ６に記載の方法。
［Ｃ８］
ビデオデータを復号するためのデバイスであって、
マルチレイヤビデオデータのビットストリームの少なくとも一部分を記憶するように構成されるメモリと、
１つまたは複数のプロセッサと
を備え、前記１つまたは複数のプロセッサが、
第１のアクセスユニットのための第１のアクセスユニットデリミタ（ＡＵＤ）ネットワーク抽象化レイヤ（ＮＡＬ）ユニットを受信することと、前記第１のＡＵＤ  ＮＡＬユニットのレイヤ識別子は０に等しい、
前記第１のアクセスユニットのための第２のＡＵＤ  ＮＡＬユニットを受信することと、前記第２のＡＵＤ  ＮＡＬユニットのレイヤ識別子は０より大きい、
前記第１のアクセスユニットを復号することと
を行うように構成される、デバイス。
［Ｃ９］
前記第１のアクセスユニット中の前記第２のＡＵＤ  ＮＡＬユニットが、復号順序において、前記第１のＡＵＤ  ＮＡＬユニットと、前記第１のアクセスユニット中の少なくとも１つのビデオコーディングレイヤ（ＶＣＬ）ＮＡＬユニットとに後続する、Ｃ８に記載のデバイス。
［Ｃ１０］
前記第１のＡＵＤ  ＮＡＬユニットが、復号順序において、前記第１のアクセスユニット中で最初のＮＡＬユニットである、Ｃ８に記載のデバイス。
［Ｃ１１］
前記第１のＡＵＤ  ＮＡＬユニットが、前記第１のアクセスユニットと先行するアクセスユニットとの境界を特定する、Ｃ８に記載のデバイス。
［Ｃ１２］
前記第１のＡＵＤ  ＮＡＬユニット以外の、前記第１のアクセスユニット中の他のＡＵＤ  ＮＡＬユニットが、０に等しいレイヤ識別子を有しない、Ｃ８に記載のデバイス。
［Ｃ１３］
前記１つまたは複数のプロセッサがさらに、
前記復号された第１のアクセスユニットを出力するように構成される、Ｃ８に記載のデバイス。
［Ｃ１４］
前記第１のアクセスユニットのピクチャを表示するように構成されるディスプレイをさらに備える、Ｃ８に記載のデバイス。
［Ｃ１５］
ワイヤレス通信デバイスであり、
前記マルチレイヤビデオデータを受信するように構成される受信機をさらに備える、Ｃ８に記載のデバイス。
［Ｃ１６］
前記ワイヤレス通信デバイスが携帯電話を備え、前記受信機が、セルラー通信規格に従って変調されたデータとして前記マルチレイヤビデオデータを受信するように構成される、Ｃ１５に記載のデバイス。
［Ｃ１７］
マルチレイヤビデオデータを復号するための装置であって、
第１のアクセスユニットのための第１のアクセスユニットデリミタ（ＡＵＤ）ネットワーク抽象化レイヤ（ＮＡＬ）ユニットを受信するための手段と、前記第１のＡＵＤ  ＮＡＬユニットのレイヤ識別子は０に等しい、
前記第１のアクセスユニットのための第２のＡＵＤ  ＮＡＬユニットを受信するための手段と、前記第２のＡＵＤ  ＮＡＬユニットのレイヤ識別子は０より大きい、
前記第１のアクセスユニットを復号するための手段と
を備える、装置。
［Ｃ１８］
前記第１のアクセスユニット中の前記第２のＡＵＤ  ＮＡＬユニットが、復号順序において、前記第１のＡＵＤ  ＮＡＬユニットと、前記第１のアクセスユニット中の少なくとも１つのビデオコーディングレイヤ（ＶＣＬ）ＮＡＬユニットとに後続する、Ｃ１７に記載の装置。
［Ｃ１９］
前記第１のＡＵＤ  ＮＡＬユニットが、復号順序において、前記第１のアクセスユニット中で最初のＮＡＬユニットである、Ｃ１７に記載の装置。
［Ｃ２０］
前記第１のＡＵＤ  ＮＡＬユニットが、前記第１のアクセスユニットと先行するアクセスユニットとの境界を特定する、Ｃ１７に記載の装置。
［Ｃ２１］
前記第１のＡＵＤ  ＮＡＬユニット以外の、前記第１のアクセスユニット中の他のＡＵＤ  ＮＡＬユニットが、０に等しいレイヤ識別子を有しない、Ｃ１７に記載の装置。
［Ｃ２２］
１つまたは複数のプロセッサによって実行されると、前記１つまたは複数のプロセッサに、
第１のアクセスユニットのための第１のアクセスユニットデリミタ（ＡＵＤ）ネットワーク抽象化レイヤ（ＮＡＬ）ユニットを受信することと、前記第１のＡＵＤ  ＮＡＬユニットのレイヤ識別子は０に等しい、
前記第１のアクセスユニットのための第２のＡＵＤ  ＮＡＬユニットを受信することと、前記第２のＡＵＤ  ＮＡＬユニットのレイヤ識別子は０より大きい、
前記第１のアクセスユニットを復号することと
を行わせる命令を記憶した、コンピュータ可読媒体。
［Ｃ２３］
前記第１のアクセスユニット中の前記第２のＡＵＤ  ＮＡＬユニットが、復号順序において、前記第１のＡＵＤ  ＮＡＬユニットと、前記第１のアクセスユニット中の少なくとも１つのビデオコーディングレイヤ（ＶＣＬ）ＮＡＬユニットとに後続する、Ｃ２２に記載のコンピュータ可読記憶媒体。
［Ｃ２４］
前記第１のＡＵＤ  ＮＡＬユニットが、復号順序において、前記第１のアクセスユニット中で最初のＮＡＬユニットである、Ｃ２２に記載のコンピュータ可読記憶媒体。
［Ｃ２５］
前記第１のＡＵＤ  ＮＡＬユニットが、前記第１のアクセスユニットと先行するアクセスユニットとの境界を特定する、Ｃ２２に記載のコンピュータ可読記憶媒体。
［Ｃ２６］
前記第１のＡＵＤ  ＮＡＬユニット以外の、前記第１のアクセスユニット中の他のＡＵＤ  ＮＡＬユニットが、０に等しいレイヤ識別子を有しない、Ｃ２２に記載のコンピュータ可読記憶媒体。